(57)【要約】【課題】バランスボードの動きの態様を多くして、一層のトレーニング効果をあげる。【解決手段】バランスボード１は、使用者が乗る搭乗面１０ａと床面Ｆに対面する裏面１０ｂとを有する板状のボード本体１０と、裏面１０ｂと床面Ｆとの間に配設されてボード本体１０を床面Ｆに対して揺動可能に支持する支持部材２０とを備えている。ボード本体１０は、裏面に複数の支持部材２０がそれぞれ着脱容易に取り付けられる複数の取付け部（雌ねじ部）ｈ１〜ｈ９を有する。取付け部ｈ１〜ｈ９のうちから少なくとも２個の支持部材２０を取り付ける取付け部を適宜に選択することにより、揺動中心の位置を代えて、バランスボード１の動きの態様を多くすることができる。【選択図】      図１
2004305442.tif 000002
【特許請求の範囲】
【請求項１】
使用者が乗る搭乗面と、床面に対面する裏面とを有する板状のボード本体と、前記裏面と前記床面との間に配設されて前記ボード本体を床面に対して揺動可能に支持する支持部材とを備えたバランスボードにおいて、
前記ボード本体は、前記裏面におけるそれぞれ異なる位置に複数の取付け部を有し、前記支持部材は、前記複数の取付け部のうちの少なくとも１つに着脱容易に取り付けられる、
ことを特徴とするバランスボード。
【請求項２】
前記複数の取付け部のうちの１つが、前記裏面の中央に配置されている、
ことを特徴とする請求項１に記載のバランスボード。
【請求項３】
前記複数の取付け部のうちの少なくとも２個が、前記裏面の中央を通る線上において前記中央を挟んでそれぞれ反対側に配置されている、
ことを特徴とする請求項１又は２に記載のバランスボード。
【請求項４】
前記複数の取付け部が前記裏面の中央を基準とした点対称の位置に配置されている、
ことを特徴とする請求項１ないし３のいずれか１項に記載のバランスボード。
【請求項５】
前記複数の取付け部が前記裏面の中央を基準とした同心円上に配置されている、
ことを特徴とする請求項１ないし４のいずれか１項に記載のバランスボード。
【請求項６】
前記ボード本体の前記取付け部は、雌ねじ部を有し、
前記支持部材は、前記雌ねじ部に螺合可能な雄ねじ部と、前記雄ねじ部を保持するとともに前記床面と接触する面がほぼ半球状に形成された保持部を有する、
ことを特徴とする請求項１ないし５のいずれか１項に記載のバランスボード。
【請求項７】
前記雄ねじ部に装着されて、前記ボード本体の裏面と前記支持部材の保持部との距離を調整する環状のスペーサを有する、
ことを特徴とする請求項１ないし６のいずれか１項に記載のバランスボード。
【請求項８】
使用者が乗る搭乗面と、床面に対面する裏面とを有する板状のボード本体と、
前記裏面と前記床面との間に配設されて前記ボード本体を揺動可能に支持する支持部材とを備えたバランスボードにおいて、
前記支持部材は、前記ボード本体とは別体に設けられるとともに前記ボード本体と床面との間に横たえるようにして使用される丸棒状部材であって、前記丸棒状部材は、長手方向の中央側の直径が両端側の直径よりも大きく形成されている、
ことを特徴とするバランスボード。
【請求項９】
前記丸棒状部材は、最大直径部が、長手方向の中央からずれた位置に設定されている、
ことを特徴とする請求項８に記載のバランスボード。
【発明の詳細な説明】
【０００１】
【発明の属する技術分野】
本発明は、レクリエーション、バランス感覚の養成、足首や関節のリハビリ、集中力の向上、脳のリフレッシュ等を目的としたバランストレーニングに使用するバランスボードに関する。
【０００２】
【従来の技術】
従来のバランスボードの一例を図７（ａ），（ｂ），（ｃ）に示す。この順に上面図，正面図，右側面図である。これらの図に示すバランスボード１００は、板状のボード本体１０１と、その下面１０１ｂに固定された支持部材１０２とによって構成されている。この支持部材１０２は、球体の一部を平面で切り取ったような形状となっている。バランスボード１００全体は、ボード本体１０１の任意の部分が、支持部材１０２と床面Ｆとの接点Ｓを中心として上下方向に揺動することができる。したがって、使用者は、例えば、図７（ａ）に示すように、ボード本体１０１の上面１０１ａに、支持部材１０２を間に挟むようにして左足Ｌ１及び右足Ｌ２を乗せて立ち上がることにより、自身の前後方向，左右方向，及びこれらの間の任意の方向において、バランスボード１００を上下方向に傾斜させて、バランストレーニングを行うことができる。
【０００３】
別の従来のバランスボード１０５を図８（ａ），（ｂ），（ｃ）に示す。この順に上面図，正面図，右側面図である。これらの図に示すバランスボード１０５は、板状のボード本体１０３と、このバランスボード１０３とは別体の丸棒状の支持部材１０４とによって構成されている。使用者は、支持部材１０４を横にして床Ｆ上に置き、その上にボード本体１０３を載せて、このボード本体１０３上に乗る。ボード本体１０３は、支持部材１０４との接線Ｓ１を基準として上下方向に揺動することができ、さらに支持部材１０４が図８（ｂ）中の矢印方向（左右方向）に転動することに基づき支持部材１０４と床面Ｆとの接線Ｓ２が左右方向に移動するので、使用者は左右方向のバランストレーニングを行うことができる。
【０００４】
【発明が解決しようとする課題】
しかしながら、上述のバランスボード１００，１０５は、その構成上、動きの態様が比較的簡単な動作に限定されてしまうため、バランストレーニングを重ねるに連れて、使用者はその動きに慣れてしまい、バランストレーニングに対する興味を失ったり、またバランストレーニングのさらなる効果があがらなかったりするといった問題があった。
【０００５】
そこで、本発明は、上述の問題を解決し、興味を持ってバランストレーニングを続けることができ、一層のトレーニング効果をあげることのできるバランスボードを提供することを目的とするものである。
【０００６】
【課題を解決するための手段】
請求項１に係る発明は、使用者が乗る搭乗面と、床面に対面する裏面とを有する板状のボード本体と、前記裏面と前記床面との間に配設されて前記ボード本体を床面に対して揺動可能に支持する支持部材とを備えたバランスボードにおいて、前記ボード本体は、前記裏面におけるそれぞれ異なる位置に複数の取付け部を有し、前記支持部材は、前記複数の取付け部のうちの少なくとも１つに着脱容易に取り付けられる、ことを特徴とする。
【０００７】
請求項２に係る発明は、請求項１に記載のバランスボードにおいて、前記複数の取付け部のうちの１つが、前記裏面の中央に配置されている、ことを特徴とする。
【０００８】
請求項３に係る発明は、請求項１又は２に記載のバランスボードにおいて、前記複数の取付け部のうちの少なくとも２個が、前記裏面の中央を通る線上において前記中央を挟んでそれぞれ反対側に配置されている、ことを特徴とする。
【０００９】
請求項４に係る発明は、請求項１ないし３のいずれか１項に記載のバランスボードにおいて、前記複数の取付け部が前記裏面の中央を基準とした点対称の位置に配置されている、ことを特徴とする。
【００１０】
請求項５に係る発明は、請求項１ないし４のいずれか１項に記載のバランスボードにおいて、前記複数の取付け部が前記裏面の中央を基準とした同心円上に配置されている、ことを特徴とする。
【００１１】
請求項６に係る発明は、請求項１ないし５のいずれか１項に記載のバランスボードにおいて、前記ボード本体の前記取付け部は、雌ねじ部を有し、前記支持部材は、前記雌ねじ部に螺合可能な雄ねじ部と、前記雄ねじ部を保持するとともに前記床面と接触する面がほぼ半球状に形成された保持部を有する、ことを特徴とする。
【００１２】
請求項７に係る発明は、請求項１ないし６のいずれか１項に記載のバランスボードにおいて、前記雄ねじ部に装着されて、前記ボード本体の裏面と前記支持部材の保持部との距離を調整する環状のスペーサを有する、ことを特徴とする。
【００１３】
請求項８に係る発明は、使用者が乗る搭乗面と、床面に対面する裏面とを有する板状のボード本体と、前記裏面と前記床面との間に配設されて前記ボード本体を揺動可能に支持する支持部材とを備えたバランスボードにおいて、前記支持部材は、前記ボード本体とは別体に設けられるとともに前記ボード本体と床面との間に横たえるようにして使用される丸棒状部材であって、前記丸棒状部材は、長手方向の中央側の直径が両端側の直径よりも大きく形成されている、ことを特徴とする。
【００１４】
請求項９に係る発明は、請求項８に記載のバランスボードにおいて、前記丸棒状部材は、最大直径部が、長手方向の中央からずれた位置に設定されている、ことを特徴とする。
【００１５】
【発明の実施の形態】
以下、図面に沿って、本発明の実施の形態について説明する。なお、各図面において、同一の符号を付したものは、同様の構成や作用を有するものであり、これらについての重複説明は適宜省略するものとする。
【００１６】
＜実施の形態１＞
本実施の形態は、ボード本体に複数の取付け部を設け、そのうちの２個の取付け部に支持部材を取り付けるようにしたものである。
【００１７】
図１（ａ），（ｂ），（ｃ），（ｄ）に、本発明に係るバランスボードの一例として、実施の形態１に係るバランスボード１を示す。これらの図は、この順に上面図，正面図，下面図，右側面図である。
【００１８】
これらの図に示すバランスボード１は、板状のボード本体１０と、このボード本体１０を揺動可能に支持する支持部材２０とを備えている。
【００１９】
このうちボード本体１０は、板状の部材であり、（ａ），（ｃ）に示すように、相互に平行な２本の直線ａ，ｂとこれらを連結する２つの半円ｃ，ｄによって囲まれたほぼトラック形状に形成されている。ボード本体１０は、材質としては、例えば木材によって形成されている。ボード本体１０の上面１０ａは、使用者が左足Ｌ１及び右足Ｌ２を乗せる搭乗面１０ａとなっていて、滑り止め加工（不図示）が施されている。また、ボード本体１０の裏面（床面Ｆに対面する面）１０ｂには、支持部材２０の取付け部として複数の雌ねじ部ｈ１〜ｈ９が形成されている。これら雌ねじ部ｈ１〜ｈ９は、左右方向（（ｃ）中の左右方向）に３列、前後方向（（ｃ）中の上下方向）に３列の計９個が整列された状態で配置されている。このうち雌ねじ部ｈ５は、裏面１０ｂの中央に配置されており、雌ねじ部ｈ５を除く他の雌ねじ部ｈ１〜ｈ４，ｈ６〜ｈ９は、左右方向に長い長方形の辺上によるように配置されている。また、中央の雌ねじ部ｈ５を基準として、雌ねじ部ｈ１，ｈ２，ｈ３，ｈ４は、それぞれ雌ねじ部ｈ９，ｈ８，ｈ７，ｈ６と点対称の位置に配置されている。これら雌ねじ部ｈ１〜ｈ９ｈは、ボード本体１０の裏面１０ｂに直接形成しても、またボード本体１０の裏面１０ｂに金属製のナットを埋め込むようにして形成してもよい。さらに、ボード本体１０の裏面１０ｂには、左右方向についての雌ねじ部ｈ４及び雌ねじ部ｈ６の外側にそれぞれストッパ１１が突設されている。これらストッパ１１は、後述の図４に示すような丸棒状部材２３を使用する際に、この丸棒状部材２３がボード本体１０の裏面１０ｂから外れないようにするためのものである。
【００２０】
支持部材２０は、図１（ｃ）のＡ−Ａ線矢視拡大図である図２に示すように、保持部２１とこの保持部２１に保持された雄ねじ部２２とを有している。このうち保持部２１は、図２中の二点鎖線の下方に位置するほぼ半球状の部分（半球部）２１ａと、同じく二点鎖線の上方に位置するほぼ円柱状の部分（円柱部）２１ｂとによって構成されている。球状部２１ａの頂点（図２中の最下部）Ｓは、ボード本体１０が水平状態のときに床面Ｆと接触する点である。雄ねじ部２２は、円柱部２１ｂの上端面２１ｃに突設されていて、前述のボード本体１０の雌ねじ部ｈ１〜ｈ９のうちの１つ（図２では雌ねじ部ｈ９）に螺合されている。支持部材２０は、この螺合状態においては、円柱部２１ｂの上端面２１ｃがボード本体１０の裏面１０ｂに強く押圧されて強固に取り付けられる。一方、ボード本体１０からの支持部材２０の取り外しは、螺合を解除する（ねじを緩める）簡単な動作で行うことができる。つまり、支持部材２０は、ボード本体１０に対して簡単に着脱することができるようになっている。支持部材２０は、材質としては、例えば保持部２１を木材によって、また雄ねじ部２２を金属製の部材によって形成することができる。
【００２１】
本実施の形態においては、図１（ｃ）に示すように、２個の支持部材２０を、それぞれボード本体１０の雌ねじ部ｈ１，ｈ９（中央の雌ねじ部ｈ５と基準として点対称の位置）に取り付けてバランスボード１全体を構成している。
【００２２】
このように構成したバランスボード１は、図１（ａ）に示す２個の支持部材２０を結ぶ線ｍ近傍を中心として、全体が上下方向に揺動することが可能となる。したがって、使用者は、同図に示すように、左足Ｌ１と右足Ｌ２とを、上述の線ｍを挟むようにしてボード本体１０の搭乗面１０ａに乗せて立ち上がる。バランスボード１全体は、上述のように、線ｍ近傍を中心として全体が上下方向に揺動することができるので、使用者はその揺動動作によってバランストレーニングを行うことができる。
【００２３】
本実施の形態では、さらに２個の支持部材２０を取り付ける雌ねじ部を、９個の雌ねじ部ｈ１〜ｈ９のうちから適宜に選択することにより、バランスボード１全体の揺動中心の位置を種々に変更することができるので、バランスボード１全体の動きの態様を種々のものとすることができる。例えば、図１（ｃ）では、２個の支持部材２０を雌ねじ部ｈ１，ｈ９に取り付けることにより、線ｍ近傍が揺動中心となるが、これに代えて、２個の支持部材２０を雌ねじ部ｈ２，ｈ８に取り付けた場合には、これら雌ねじ部ｈ２，ｈ８を結ぶ線がほぼ揺動中心となる。すなわちバランスボード１の左右方向の中心が揺動中心となってバランスボード１全体が上下方向に揺動することになる。また、２個の支持部材２０を雌ねじ部ｈ４，ｈ６に取り付けた場合には、これら雌ねじ部ｈ４，ｈ６を結ぶ線がほぼ揺動中心となる。すなわちバランスボード１の前後方向の中心が揺動中心となってバランスボード１全体が上下方向に揺動することになる。また、２個の支持部材２０を、雌ねじ部ｈ１，ｈ６に取り付けた場合、雌ねじ部ｈ１，ｈ８に取り付けた場合、雌ねじ部ｈ２，ｈ４に取り付けた場合、ｈ２，ｈ７に取り付けた場合、それぞれ異なった揺動中心を設定することができる。さらには、２個の支持部材２０のうち一方を中央の雌ねじ部ｈ９に、他方をこれ以外の任意の雌ねじ部に取り付けるようにしてもよい。
【００２４】
このように、本実施の形態においては、２個の支持部材２０の取付け位置を、雌ねじ部ｈ１〜ｈ９のうちから適宜に選択することにより、上述のように、それぞれ位置が異なる種々の揺動中心を設定することができ、それに対応して、バランスボード１の動きの態様を変化に富んだものとすることができる。
【００２５】
上述では、複数の雌ねじ部ｈ１〜ｈ９の位置を、図１（ｃ）に示すように配置したが、これに代えて、例えば裏面１０ｂの中央（雌ねじ部ｈ９の位置）と、これを中心とした同心円に複数配置するようにしてもよい。例えば同心円を８等分する位置のそれぞれの１個ずつ配置するようにしてもよい。そして、２個の支持部材２０は、中央の雌ねじ部とこれ以外の任意の雌ねじ部とに取り付けたり、中央の雌ねじ部には取り付けずに同心円上の任意の２個の支持部材に取り付けたりすればよい。
【００２６】
＜実施の形態２＞
本実施の形態は、ボード本体に複数の取付け部を設け、そのうちの１個の取付け部に支持部材を取り付けるようにしたものである。なお、ボード本体１０の単体、支持部材２０の単体としての構成は、実施の形態１のものと同様とする。
【００２７】
本実施の形態では、ボード本体１０の裏面１０ｂに形成した９個の取付け部としての雌ねじ部ｈ１〜ｈ９のうちの任意の１個の雌ねじ部に、支持部２０を取り付けるものである。
【００２８】
この際、１個の支持部材２０を、中央の雌ねじ部ｈ５に取り付けた場合と、雌ねじ部ｈ２（又はｈ８）に取り付けた場合と、雌ねじ部ｈ４（又はｈ６）に取り付けた場合と、雌ねじ部ｈ１（又はｈ３，ｈ７，ｈ９）とに取り付けた場合とでは、それぞれ揺動中心（本実施の形態では、支持部材２０と床面Ｆとの接点）の位置が異なることになり、１個の支持部材２０を使用する場合であっても、上述のようにその取付け位置が異なることで、それぞれ異なった揺動動作（動きの態様）を実現することが可能である。
【００２９】
＜実施の形態３＞
本実施の形態は、ボード本体に複数の取付け部を設け、そのうちの３個の取付け部に支持部材を取り付けるようにしたものである。なお、ボード本体１０の単体、支持部材２０の単体としての構成は、実施の形態１のものと同様とする。
【００３０】
本実施の形態では、ボード本体１０の裏面１０ｂに形成した９個の取付け部としての雌ねじ部ｈ１〜ｈ９のうちの任意の３個の雌ねじ部に、支持部２０を取り付けるものである。
【００３１】
この３個の雌ねじ部の選び方（組み合わせ）によって、それぞれ異なったバランスボード１の揺動動作（動きの態様）を実現することができる。例えば、その３個の雌ねじ部の組み合わせとしては、雌ねじ部ｈ２，ｈ４，ｈ８、雌ねじ部ｈ２，ｈ４，ｈ６等がある。なお、本実施の形態においては、３個の雌ねじ部を結んでできる三角形の形状が異なる限り（合同とならない限り）、異なる揺動動作を行わせることが可能である。なお、雌ねじ部ｈ１〜ｈ９のうちの４個以上の雌ねじ部のそれぞれに支持部材２０を取り付けるようにしてもよいのはもちろんである。この場合にも、選択する４個以上の雌ねじ部に応じて、バランスボード１は、異なった態様の揺動動作を行うことになる。
【００３２】
＜実施の形態４＞
本実施の形態では、支持部材２０として、高さ寸法の異なるものを使用する例を説明する。
【００３３】
上述の実施の形態１〜３において、支持部材２０の高さ寸法Ｈ（図２における支持部材２０の上端面２１ｃから接点Ｓまでの距離）が同じものを使用した。これに対して本実施の形態では、例えば支持部材２０として高さ寸法Ｈが異なるもの、例えば寸法Ｈ１の支持部材２０と、寸法Ｈ２（ただし、Ｈ１＜Ｈ２）の支持部材２０を使用するようにした。なお、以下の説明では、ボード本体１０の単体としての構成は、実施の形態１のものと同様とし、また実施の形態１と同様、２個の支持部材２０を使用する場合を例に説明する。
【００３４】
２個の支持部材２０を使用する場合、その２個の高さ寸法Ｈが同じで、いずれも寸法Ｈ１である場合と、同じくその２個の高さ寸法Ｈが同じで、いずれも寸法Ｈ２である場合とでは、バランスボード１の動きの態様が異なる。すなわち、後者の寸法Ｈ２の場合は、前者の寸法Ｈ１の場合よりも、バランスボード１全体の傾斜角度（ボード本体１０の一部が床面Ｆに接地したときの、床面Ｆに対するボード本体１０の角度）が大きくなり、その分、トレーニングにおける難易度が増すことになる。したがって、この場合には、揺動中心の位置は変化しないが、傾斜角度が異なるという意味で、動きの態様が異なるということになる。
【００３５】
２個の支持部材２０を使用する場合、それぞれ異なった高さ寸法Ｈの支持部材（、すなわち寸法Ｈ１の支持部材２０と寸法Ｈ２の支持部材２０とを使用することも可能である。この場合には、ボード本体１０は水平状態となることはなく、常時、寸法差（Ｈ２−Ｈ１）及び支持部材２０間の距離に基づいて傾斜した状態で、揺動動作を行うことになる。つまり、２個の支持部材２０の高さ寸法Ｈが同じ場合とは、異なった態様の揺動動作をすることになる。
【００３６】
なお、異なった高さ寸法Ｈの支持部材２０を準備するに代えて、図３に示すように、ボード本体１０の裏面１０ｂと、支持部材２０の保持部２１の上端面２１ｃとの間に、厚さが（Ｈ２−Ｈ１）の、着脱自在な環状のスペーサ３０を装着するようにしてもよい。これにより、ボード本体１０に寸法Ｈ１の支持部材２０を取り付ける際に、上述のスペーサ３０を装着することにより、実質的に寸法Ｈ２の支持部材２０と同等の構成とすることができる。このようにスペーサ３０を使用する場合には、支持部材２０の高さ寸法Ｈは、１種類とし、スペーサ３０について厚さ寸法の異なるものを複数種準備すれば、支持部材２０の高さ寸法を実質的に変更することが可能である。
【００３７】
上述の実施の形態１〜４においては、支持部材２０の保持部２１の形状が図１〜図３に示すもの（半球部２１ａと円柱部２１ｂとを組み合わせたもの）として説明したが、保持部２１の形状は、これに限定されるものではない。例えば、保持部２１全体が、円柱状のもの、角柱状のもの、半球状のもの、下向きの円錐状のもの等であってもよい。保持部２１の形状が上述のように異なると、保持部２１と床面Ｆとの接触に仕方が異なることになり、それに応じて、バランスボード１全体の揺動動作が微妙に異なるものとなる。さらに、ボード本体１０に複数の支持部材２０と取り付ける際に、保持部２１の形状が異なる支持部材２０を取り付けるようにすれば、さらにバランスボード１全体の動きを微妙に変化させることができる。例えば、ボード本体１０に２個の支持部材２０を取り付ける場合、支持部材２０として１つは保持部２１全体が円柱状のものを、そして他の１つとして保持部２１全体が半球状のものを使用する場合には、ボード本体１０の揺動動作は、半球状の保持部２１を有する支持部材２０近傍では円滑に、一方、円柱状の保持部２１を有する支持部材２０の近傍では変則的に行われるので、使用者は異なった揺動動作を体感することができる。
【００３８】
なお、実施の形態１〜４のバランスボード１においては、例えば、ボード本体１０の雌ねじ部に対する１個又は複数の支持部材２０の取付け位置が同じ場合であっても、使用者の左足Ｌ１（図１（ａ）参照）及び右足Ｌ２を乗せる位置により、使用者にとってのバランスボード１の動きが異なるものとなる。例えば、図１（ａ）に示すように左足Ｌ１及び右足Ｌ２を乗せた場合には、バランスボード１は、線ｍを揺動中心として揺動するので、使用者はほぼ左右方向のバランスをとることになる。これに対して、例えば、左足Ｌ１及び右足Ｌ２を線ｍに直角に乗せた場合には、使用者はほぼ前後方向のバランスをとるようになる。
【００３９】
実施の形態１〜４においては、ボード本体１０に対して、支持部材２０を取り付けるための構成として、ボード本体１０に取付け部としての雌ねじ部ｈ１〜ｈ９を設ける一方、支持部材２０に雄ねじ部２２を設けた例を説明したが、本発明に係る取付け部は、これに限定されるものではない。例えば、ボード本体１０の裏面１０ｂに凹部を設け、支持部材２０に凸部を設けて、凹部に凸部を圧入することで、ボード本体１０に支持部材２０を取り付けるようにしてもよい。
【００４０】
＜実施の形態５＞
図４に、実施の形態５に係るバランスボード２を示す。同図は、バランスボード２の右側面図である。なお、ボード本体１０については、上述の実施の形態１のものを流用することができるので説明は省略する。なお、ストッパ１１は省略している。
【００４１】
本実施の形態は、支持部材２３として、ボード本体１０と別体の丸棒状部材２３を使用する点に特徴がある。ただし、丸棒状部材２３は、その外周面がストレートではなく、長手方向の中央側２３ｂの直径が両端側２３ａの直径よりも大きく形成されている。つまり、中央側２３ｂが両端側２３よりも太くなっている。これにより、使用者は、左右方向のバランス感覚に加えて、前後方向（図４中の左右方向）のバランス感覚をも養成することができる。なお、支持部材２３の中央側２３ｂに設けた最大直径部は、長手方向の厳密な意味での中央に設定しても、またこの中央から積極的にずらした位置に設定するようにしてもよい。さらには、中央側２３ｂに対して、直径の小さい両端側２３ａについても、それぞれの端部で直径が異なるようにしてもよい。この場合には、ボード本体１０が支持部材２３に倣って前後方向に移動する際に、前側と後側との動きが異なった動きとなる。
【００４２】
＜実施の形態６＞
図５に、本実施の形態に係るバランスボード３を示す。同図は下面図である。また、図６に、図５のＢ−Ｂ線矢視拡大図を示す。
【００４３】
本実施の形態の特徴は、ボード本体１２の裏面１２ｂに、ガイド溝１３Ａを設けることにより、このガイド溝１３Ａに沿った任意の位置に、支持部材２０を位置決めすることができる点にある。なお、支持部材２０については、前述の実施の形態１のものと同じものを流用できるので、その説明は省略する。
【００４４】
図５，図６に示すように、本実施の形態においては、ガイド部材１３として、ボード本体１２の裏面１２ｂに、長手方向に対して直角な方向の断面形状がＣ形のチャンネル部材を配設している。ガイド部材１３は、下方に向けた開口部がガイド溝１３Ａとなる。ガイド部材１３の内側には、ガイド部材１３の長手方向に移動可能なナット部材２４が配設されている。このナット部材２４をガイド部材１３の長手方向に沿って移動させることで、支持部材２０を取り付けたい位置に配置する。そして、ボード本体１２の裏面１２ｂ側から、支持部材２０の雄ねじ部２２をガイド溝１３Ａに貫通させ、この雄ねじ部２２をナット部材２４に螺合させる。こうすることにより、ガイド部材１３の長手方向に沿った任意の位置に、支持部材２０を位置決めして固定することができる。
【００４５】
同様にして、ガイド部材１３に対して、複数の支持部材２０を取り付けることも可能である。
【００４６】
また、ガイド部材１３は、ボード本体１２の裏面１２ｂに、１本に限らず、複数のものを平行に、あるいは交差するように配設するようにしてもよい。
さらに、ガイド部材１３は、直線状に限らず曲線状のもの、例えば円環状のものであってもよい。
【００４７】
以上の実施の形態１〜５においては、ボード本体１０，１２がいわゆるトラック形状に形成されている場合を例に説明したが、ボード本体は、この形状に限定されるものではなく、例えば、長方形状、正方形状、円状、楕円状などの任意の形状とすることができる。
【００４８】
【発明の効果】
以上説明したように、本発明によると、バランスボードの動きの態様をバラエティーに富んだ種々のものとすることができるので、使用者は、興味を持ってトレーニングを続けることができ、一層のトレーニング効果をあげることができる。さらにこれにより、レクリエーション、バランス感覚の養成、足首や関節のリハビリ、集中力の向上、脳のリフレッシュ等を有効に達成することができる。
【図面の簡単な説明】
【図１】（ａ）は実施の形態１のバランスボードの上面図である。
（ｂ）は実施の形態１のバランスボードの正面図である。
（ｃ）は実施の形態１のバランスボードの下面図である。
（ｄ）は実施の形態１のバランスボードの右側面図である。
【図２】図１（ｃ）のＡ−Ａ線矢視拡大図である。
【図３】実施の形態１の別の例を示す、図２に相当する図である。
【図４】実施の形態５のバランスボードの右側面図である。
【図５】実施の形態６のバランスボードの下面図である。
【図６】図５のＢ−Ｂ線矢視拡大図である。
【図７】（ａ）は従来のバランスボードの上面図である。
（ｂ）は従来のバランスボードの正面図である。
（ｃ）は従来のバランスボードの右側面図である。
【図８】（ａ）は従来の別のバランスボードの上面図である。
（ｂ）は従来の別のバランスボードの正面図である。
（ｃ）は従来の別のバランスボードの右側面図である。
【符号の説明】
１，２，３  バランスボード
１０，１２  ボード本体
１０ａ，１２ａ
搭乗面
１０ｂ，１２ｂ
裏面
２０        支持部材
２１        支持部
２１ａ      半球部
２２        雄ねじ部
２３        支持部材（丸棒状部材）
２３ａ      両端側
２３ｂ      中央側
３０        スペーサ
Ｆ          床面
ｈ１〜ｈ９  取付け部（雌ねじ部）
【図１】
2004305442.tif 000003
【図２】
2004305442.tif 000004
【図３】
2004305442.tif 000005
【図４】
2004305442.tif 000006
【図５】
2004305442.tif 000007
【図６】
2004305442.tif 000008
【図７】
2004305442.tif 000009
【図８】
2004305442.tif 000010